(57)【要約】【課題】コンデンサに蓄積された電力を有効に利用することによって、保持時間が長くかつ小型化が可能な蓄電ユニット、およびそれを用いた電源装置を実現する。【解決手段】入出力端子から供給される直流電圧を昇圧型ＤＣ−ＤＣコンバータで昇圧してコンデンサを充電し、入出力端子の電圧が低下したときにコンデンサの出力電圧を昇降圧型ＤＣ−ＤＣコンバータで所定の電圧に変換して入出力端子に出力するようにした。コンデンサの充電電圧を高くしたのでより多くの電力を蓄積することができ、かつコンデンサの出力電圧が低下しても昇降圧型ＤＣ−ＤＣコンバータで昇圧するようにしたので、コンデンサに蓄積された電力を有効に活用できる。このため、装置を小型化でき、また保持時間を長くすることができる。【選択図】図１
2010220432.tif 000002
【特許請求の範囲】
【請求項１】
入出力端子から入力される直流電圧を昇圧して出力する第１のＤＣ−ＤＣコンバータと、
前記第１のＤＣ−ＤＣコンバータの出力によって充電されるコンデンサと、
前記コンデンサの出力電圧が入力され、前記入出力端子の電圧が第１の電圧以下になったときに、前記コンデンサの出力電圧を所定の電圧に変換して前記入出力端子に出力する第２のＤＣ−ＤＣコンバータと、
を具備したことを特徴とする蓄電ユニット。
【請求項２】
前記第２のＤＣ−ＤＣコンバータは、前記コンデンサの出力電圧が前記所定の電圧より高いときは入力された電圧を降圧し、前記コンデンサの出力電圧が前記所定の電圧より低いときは入力された電圧を昇圧する昇降圧型のＤＣ−ＤＣコンバータであることを特徴とする請求項１記載の蓄電ユニット。
【請求項３】
前記第１および第２のＤＣ−ＤＣコンバータは、入力側と出力側が電気的に絶縁されている絶縁型ＤＣ−ＤＣコンバータであることを特徴とする請求項１若しくは請求項２記載の蓄電ユニット。
【請求項４】
前記第２のＤＣ−ＤＣコンバータは、前記入出力端子の電圧が前記第１の電圧以下になったときに前記第１のＤＣ−ＤＣコンバータを停止させ、前記入出力端子の電圧が前記第１の電圧よりも低くなると、前記第１のＤＣ−ＤＣコンバータをリセットするようにしたことを特徴とする請求項１乃至請求項３いずれかに記載の蓄電ユニット。
【請求項５】
交流が入力され、この交流を直流に変換し出力する直流電源部と、
前記直流電源部の出力が入力され、この入力された電圧を所定の電圧に変換して出力するＤＣ−ＤＣコンバータ部と、
前記直流電源部と前記ＤＣ−ＤＣコンバータ部の接続点に接続される、請求項１乃至請求項４いずれかに記載の蓄電ユニットと、
を具備したことを特徴とする電源装置。
【請求項６】
前記直流電源部は、ＡＣ−ＤＣコンバータであることを特徴とする請求項５記載の電源装置。
【請求項７】
前記直流電源部と前記ＤＣ−ＤＣコンバータ部が一体となっていることを特徴とする請求項５若しくは請求項６記載の電源装置。
【発明の詳細な説明】
【技術分野】
【０００１】
本発明は、短時間の停電時に電力を供給する蓄電ユニットおよびそれを用いた電源装置に関し、特にＬＳＩテスタ等停止することができない計測装置の電源に用いて好適な蓄電ユニットおよびそれを用いた電源装置に関するものである。
【背景技術】
【０００２】
商用電源は、短時間停電する瞬時停電が発生することがある。図３に、このような瞬時停電が発生しても継続して電力を供給することができる電源装置の構成を示す。
【０００３】
図３において、１０は電源部であり、平滑整流部１１とＤＣ−ＤＣコンバータ部１２で構成される。１３は平滑整流部１１の出力側に接続されている平滑コンデンサである。平滑整流部１１には、例えば２００Ｖの交流が入力される。平滑整流部１１は入力された交流を整流、平滑して直流に変換し、ＤＣ−ＤＣコンバータ部１２に出力する。
【０００４】
ＤＣ−ＤＣコンバータ部１２には平滑整流部１１の出力が入力される。ＤＣ―ＤＣコンバータ部１２は入力された直流の電圧を所望の電圧に変換して出力する。
【０００５】
２０は平滑整流部１１に入力される交流が停電したときに電力を供給する蓄電部であり、ダイオード２１、電流制限用の抵抗２２、およびコンデンサ２３で構成される。ダイオード２１と抵抗２２は並列接続され、この並列回路に直列にコンデンサ２３が接続される。この直列回路は端子板２４、２５を介して平滑整流部１１とＤＣ−ＤＣコンバータ部１２の接続点に接続される。
【０００６】
平滑整流部１１の出力電圧が正常なときは、コンデンサ２３には抵抗２２を経由して充電電流が供給される。このため、コンデンサ２３は、その容量値と抵抗２２の抵抗値で決まる時定数で充電される。抵抗２２は、過電流が流れて平滑整流部の動作に影響を与えないようにするために挿入される。
【０００７】
平滑整流部１１に交流電力が供給されなくなり、その出力電圧が低下すると、コンデンサ２３に充電された電力はダイオード２１を経由してＤＣ―ＤＣコンバータ部１２に供給される。このため、ＤＣ−ＤＣコンバータ部１２の出力電圧を一定値に維持することができる。
【０００８】
このような電源装置は、平滑整流部１１に入力される交流入力が低下あるいは停電しても、一定の保持時間の間規程の出力電圧を出力することができるので、ＬＳＩテスタ等動作を中断することができない機器に多用されている。
【０００９】
なお、平滑整流部１１の代わりに、交流を入力して直流を出力するＡＣ−ＤＣコンバータを用いる場合もある。ＡＣ−ＤＣコンバータを用いると、出力電圧を所望の値に設定できる。
【先行技術文献】
【特許文献】
【００１０】
【特許文献１】特開２００４−１４７４０９号公報
【発明の概要】
【発明が解決しようとする課題】
【００１１】
しかしながら、このような電源装置はコンデンサ２３に蓄積された電力を有効に利用できないために装置が大型になり、また保持時間を長くすることが困難であるという課題があった。
【００１２】
コンデンサ２３の出力電圧は放電に伴って低下する。この出力電圧がＤＣ−ＤＣコンバータ部１２の動作電圧範囲より低くなると、たとえコンデンサ２３に電力が残っていてもＤＣ−ＤＣコンバータ部１２が動作を停止し、直流が出力されなくなる。このため、コンデンサ２３に蓄積された電力を有効活用することができない。
【００１３】
交流入力が低下してから規程の直流電圧を継続して出力することができる保持時間を長くするためには、コンデンサ２３の容量を大きくしなければならないが、容量が大きくなると容積が大きくなるので、電源装置を小型化することができない。
【００１４】
特にＬＳＩテスタのように長い保持時間が要求される機器では、要求される保持時間を満足させることが困難であるという課題もあった。
【００１５】
本発明の目的は、コンデンサに蓄積された電力を有効に利用することによって、保持時間が長くかつ小型化が可能な蓄電ユニット、およびそれを用いた電源装置を実現することにある。
【課題を解決するための手段】
【００１６】
このような課題を達成するために、本発明のうち請求項１記載の発明は、
入出力端子から入力される直流電圧を昇圧して出力する第１のＤＣ−ＤＣコンバータと、
前記第１のＤＣ−ＤＣコンバータの出力によって充電されるコンデンサと、
前記コンデンサの出力電圧が入力され、前記入出力端子の電圧が第１の電圧以下になったときに、前記コンデンサの出力電圧を所定の電圧に変換して前記入出力端子に出力する第２のＤＣ−ＤＣコンバータと、
を具備したものである。コンデンサに蓄積される電力を増加させることができるので、小型化ができる。
【００１７】
請求項２記載の発明は、請求項１記載の発明において、
前記第２のＤＣ−ＤＣコンバータによって、前記コンデンサの出力電圧が前記所定の電圧より高いときは入力された電圧を降圧して前記入出力端子に出力し、前記コンデンサの出力電圧が前記所定の電圧より低いときは入力された電圧を昇圧して前記入出力端子に出力するようにしたものである。コンデンサに保持された電力のほぼ全てを活用することができるので、さらに小型化が可能になる。
【００１８】
請求項３記載の発明は、請求項１若しくは請求項２記載の発明において、
前記第１および第２のＤＣ−ＤＣコンバータとして、入力側と出力側が電気的に絶縁されている絶縁型ＤＣ−ＤＣコンバータを用いたものである。起動時に過電流が流れることがない。
【００１９】
請求項４記載の発明は、請求項１乃至請求項３いずれかに記載の発明において、
前記第２のＤＣ−ＤＣコンバータは、前記入出力端子の電圧が前記第１の電圧以下になったときに前記第１のＤＣ−ＤＣコンバータを停止させ、前記入出力端子の電圧が前記第１の電圧よりも低くなると、前記第１のＤＣ−ＤＣコンバータをリセットするようにしたものである。第１のＤＣ−ＤＣコンバータの制御部を簡素化できる。
【００２０】
請求項５記載の発明は、
交流が入力され、この交流を直流に変換して出力する直流電源部と、
前記直流電源部の出力が入力され、この入力された電圧を所定の電圧に変換して出力するＤＣ−ＤＣコンバータ部と、
前記直流電源部と前記ＤＣ−ＤＣコンバータ部の接続点に接続される、請求項１乃至請求項４いずれかに記載の蓄電ユニットと、
を具備したものである。コンデンサに蓄積される電力を増加させることができるので、小型化ができる。
【００２１】
請求項６記載の発明は、請求項５記載の発明において、
前記直流電源部として、ＡＣ−ＤＣコンバータを用いたものである。ＤＣ−ＤＣコンバータ部に入力する電圧が交流入力の電圧によって制約を受けない。
【００２２】
請求項７記載の発明は、請求項５若しくは請求項６記載の発明において、
前記直流電源部と前記ＤＣ−ＤＣコンバータ部を一体化したものである。小型化ができる。
【発明の効果】
【００２３】
本発明によれば以下のような効果がある。請求項１乃至４の発明によれば、入出力端子に印加される電圧を第１のＤＣ−ＤＣコンバータで昇圧してコンデンサを充電し、前記入出力端子の電圧が低下すると、コンデンサの出力電圧を第２のＤＣ−ＤＣコンバータで所定の電圧に変換して前記入出力端子に出力するようにした。
【００２４】
第１のＤＣ−ＤＣコンバータで昇圧してコンデンサを充電するようにしたので、より多くの電力をコンデンサに充電することができる。従って、保持時間を同じとするとコンデンサの容量を削減することができるので、装置を小型化することができるという効果がある。コンデンサの容量を同じにすると、保持時間を長くすることができる。
【００２５】
また、第２のＤＣ−ＤＣコンバータとして電圧を昇圧および降圧できる昇降圧型ＤＣ−ＤＣコンバータを用いると、コンデンサの出力電圧が低下しても入出力端子に出力する電圧を一定にすることができる。このため、コンデンサに蓄積された電力を有効に活用することができるので、コンデンサの容量をさらに削減でき、装置をさらに小型化することができるという効果がある。
【００２６】
また、第１、第２のＤＣ−ＤＣコンバータとして入出力が絶縁されたコンバータを用いると、１次側と２次側が分離されるので起動時に過電流が流れることがなく、かつこれらＤＣ−ＤＣコンバータの制御部の構成を簡単化することができるという効果もある。
【００２７】
また、直流を用いてコンデンサを充電するので、位相制御が必要なく、波形歪みに起因する誤動作が発生することがなく、かつ双方向インバータを用いなくてもよいので、構成が簡単になるという効果もある。
【００２８】
さらに、この蓄電ユニットを電源装置に用いることにより、小型で保持時間が長い電源装置を実現することができるという効果もある。
【図面の簡単な説明】
【００２９】
【図１】本発明の実施例を示した構成図である。
【図２】本発明に係る蓄電ユニットを用いた電源装置の構成図である。
【図３】従来の電源装置の構成図である。
【発明を実施するための形態】
【００３０】
以下本発明を、図面を用いて詳細に説明する。図１は本発明に係る蓄電ユニットの一実施例を示した構成図である。この蓄電ユニットは入力電圧によって内部のコンデンサを充電し、また入力電圧が下限電圧以下になると、コンデンサに蓄積された電荷を放電して、接続されている機器に電力を供給する機能を有し、例えば図３の蓄電部２０の代わりに用いられる。
【００３１】
図１において、３０は入出力端子であり、直流電力が入力され、また内部に蓄積された電力が出力される。この入出力端子３０に並列にコンデンサ３１が接続される。
【００３２】
３２は昇圧型ＤＣ−ＤＣコンバータであり、コンバータ部３２ａおよびこのコンバータ部３２ａを制御する制御部３２ｂで構成される。昇圧型ＤＣ−ＤＣコンバータ３２には入出力端子３０から直流電圧が入力され、この直流電圧を昇圧して出力する。この図では、トランスと整流用ダイオード、コンデンサでコンバータ部３２ａを表している。昇圧型ＤＣ−ＤＣコンバータ３２は、第１のＤＣ−ＤＣコンバータに相当する。
【００３３】
昇圧型ＤＣ−ＤＣコンバータ３２はトランスを内蔵しており、入力と出力間が電気的に絶縁されている。コンバータ部３２ａとして一般的な昇圧型ＤＣ−ＤＣコンバータを用いることができる。
【００３４】
３３はコンデンサであり、３３ａ、３３ｂの２つのコンデンサが並列に接続された構成を有している。コンデンサ３３の両端は昇圧型ＤＣ−ＤＣコンバータ３２の出力端子に接続され、その出力電圧によって充電される。
【００３５】
制御部３２ｂには入出力端子３０の電圧が入力され、またフォトカプラ３７を介してコンデンサ３３の出力電圧が入力される。制御部３２ｂは入出力端子３０の電圧が所定の値以上になると昇圧型ＤＣ−ＤＣコンバータ３２を起動し、またコンデンサ３３に出力する電圧が一定値になるように制御する。
【００３６】
３４は昇降圧型ＤＣ−ＤＣコンバータであり、コンバータ部３４ａおよびこのコンバータ部３４ａを制御する制御部３４ｂで構成される。昇降圧型ＤＣ−ＤＣコンバータ３４にはコンデンサ３３の出力電圧が入力され、この入力された電圧を一定電圧に変換して入出力端子３０に出力する。この図では、トランスと整流用ダイオード、コンデンサでコンバータ部３４ａを表している。昇降圧型ＤＣ−ＤＣコンバータ３４は、第２のＤＣ−ＤＣコンバータに相当する。
【００３７】
昇降圧型ＤＣ−ＤＣコンバータ３４はトランスを内蔵しており、入力と出力間が電気的に絶縁されている。コンバータ部３４ａとして一般的な昇降圧型ＤＣ−ＤＣコンバータを用いることができる。
【００３８】
制御部３４ｂには、フォトカプラ３５を介して入出力端子３０の電圧が入力される。また、フォトカプラ３６を介して、昇圧型ＤＣ−ＤＣコンバータ３２を制御する信号を制御部３２ｂに出力する。制御部３４ｂは、入出力端子３０の電圧が一定値以下になるとコンバータ部３４ａを起動し、出力電圧が一定になるように制御する。
【００３９】
次に、この実施例の動作を説明する。制御部３２ｂは入出力端子３０から入力される直流電圧を監視し、その電圧が定格電圧の下端電圧Ｖ２（定格電圧を３５０Ｖ±５％とすると３３２．５Ｖ）以上になると昇圧型ＤＣ−ＤＣコンバータ３２の動作を開始させる。このようにすることにより、この蓄電ユニットに直流電力を供給する電源が正常に起動しないという誤動作を防止することができる。前記定格電圧の下端電圧Ｖ２は第２の電圧に相当する。
【００４０】
昇圧型ＤＣ−ＤＣコンバータ３２は、入力された直流電圧を昇圧してコンデンサ３３に出力する。コンデンサ３３はこの電圧で充電される。昇圧型ＤＣ−ＤＣコンバータ３２の出力電圧は、例えば８００Ｖに設定される。この電圧が高くなるほど、より多くの電力をコンデンサ３３に蓄積することができる。
【００４１】
制御部３２ｂにはフォトカプラ３７を介してコンデンサ３３の出力電圧が入力される。制御部３２ｂは、入力されたコンデンサ３３の出力電圧に基づいて、昇圧型ＤＣ−ＤＣコンバータの出力電圧を一定値（例えば８００Ｖ）に制御する。
【００４２】
制御部３４ｂは、フォトカプラ３５を介して入力される入出力端子３０の電圧を監視し、この電圧が規定された下限電圧Ｖ１（例えば定格電圧―１０％、定格電圧を３５０Ｖとすると３１５Ｖ）以下になると昇降圧型ＤＣ−ＤＣコンバータ３４を起動する。この下限電圧Ｖ１は第１の電圧に相当する。これによって、入出力端子３０の電圧は下限電圧Ｖ１に維持される。また、制御部３２ｂに稼働制御信号を出力し、昇圧型ＤＣ−ＤＣコンバータ３２の動作を停止させる。
【００４３】
下限電圧Ｖ１は前記定格の下端電圧Ｖ２より低い範囲で任意の値に設定できるが、通常この蓄電ユニットが接続されるＤＣ−ＤＣコンバータ部（例えばＤＣ−ＤＣコンバータ部１２）が動作する下限電圧に設定する。
【００４４】
昇降圧型ＤＣ−ＤＣコンバータ３４は、入力電圧すなわちコンデンサ３３の出力電圧が前述した下限電圧Ｖ１以上であると降圧型ＤＣ−ＤＣコンバータとして動作し、下限電圧Ｖ１未満になると昇圧型ＤＣ−ＤＣコンバータとして動作して、出力電圧を下限電圧Ｖ１に維持する。
【００４５】
前述したように、コンデンサの出力電圧は内部に蓄積された電荷量に比例する。図３の電源装置ではコンデンサ２３の出力電圧がＤＣ−ＤＣコンバータ１２の動作下限電圧より低くなると動作不能になるので、コンデンサ２３に蓄積された電荷の一部しか利用することができなかった。
【００４６】
この実施例では、コンデンサ３３の出力電圧が低くなると、昇降圧型ＤＣ−ＤＣコンバータ３４で昇圧して入出力端子３０に出力するので、コンデンサ３４に蓄積された電力を有効に活用することができる。また、昇圧型ＤＣ−ＤＣコンバータ３２によって昇圧してコンデンサ３３を充電するので、コンデンサ３３に蓄積される電力を増加させることができる。
【００４７】
制御部３４ｂは入出力端子３０の電圧を監視し、この値が定格電圧の下限電圧Ｖ１より大きくなると昇降圧型ＤＣ−ＤＣコンバータ３４の動作を停止し、制御部３２ｂに稼働制御信号を出力する。制御部３２ｂはこの稼働制御信号によって昇圧型ＤＣ−ＤＣコンバータ３２の動作を再開させる。これによって、コンデンサ３３は再充電される。
【００４８】
入出力端子３０の電圧が下限電圧Ｖ１より低くなると、保持時間が終了する。制御部３４ｂは昇降圧型ＤＣ−ＤＣコンバータ３４の動作を停止させ、制御部３２ｂにリセット信号を出力する。昇圧型ＤＣ−ＤＣコンバータ３２はこのリセット信号によって初期状態にされる。制御部３２ｂは入出力端子３０の電圧を監視し、この電圧が定格電圧の下端電圧Ｖ２以上になると昇圧型ＤＣ−ＤＣコンバータ３２の動作を開始させる。
【００４９】
図２に、図１の蓄電ユニットを用いた電源装置の構成を示す。図２において、４０は電源部であり、直流電源部４１およびＤＣ−ＤＣコンバータ部４２で構成される。
【００５０】
直流電源部４１には交流電力が入力される。直流電源部４１は、入力された交流電力を整流、平滑して直流電力を出力する。この直流電力はＤＣ−ＤＣコンバータ部４２に入力される。ＤＣ−ＤＣコンバータ部４２は、入力された直流電圧を所望の電圧に変換し、出力する。なお、直流電源部４１、ＤＣ−ＤＣコンバータ部４２は、それぞれ図３の平滑整流部１１、ＤＣ−ＤＣコンバータ部１２に相当する。
【００５１】
５０は、図１と同様の構成を有する蓄電ユニットであり、端子板５１、５２を介して直流電源部４１とＤＣ−ＤＣコンバータ部４２の接続点に接続される。端子板５２は、図１における入出力端子３０に相当する。直流電源部４１の出力電圧が定格電圧の下端電圧Ｖ２以上であると、蓄電ユニット５０内の昇圧型ＤＣ−ＤＣコンバータ３２が動作し、コンデンサ３３を充電する。
【００５２】
直流電源部４１に入力される交流電力の電圧が低下し、その出力電圧が下限電圧Ｖ１以下になると、昇降圧型ＤＣ−ＤＣコンバータ３４が動作し、昇圧型ＤＣ−ＤＣコンバータ３２は動作を停止する。コンデンサ３３の出力電圧は昇降圧型ＤＣ−ＤＣコンバータ３４で下限電圧Ｖ１の電圧に変換され、ＤＣ−ＤＣコンバータ部４２に供給される。なお、この下限電圧Ｖ１は、ＤＣ−ＤＣコンバータ部４２が正常に動作する下限電圧に設定される。
【００５３】
直流電源部４１はスイッチングレギュレータを内蔵し、入力された交流の電圧とは異なる直流電圧を出力するＡＣ−ＤＣコンバータを用いる。従って、入力される交流の電圧に制約されず、任意の電圧を出力することができる。
【００５４】
但し、直流電源部として入力された交流を単に整流、平滑する電源部を用いることもできる。この場合は入力される交流の電圧によって出力電圧が決定される。入力される交流が２００Ｖのときは、出力電圧は約２７０Ｖになる。
【００５５】
次に、この実施例の効果を説明する。ＤＣ−ＤＣコンバータ部４２（１２）の定格入力電圧を３５０Ｖ、電源部４０が供給する電力を３ｋＷ、交流電力の電圧が低下してから出力電圧を保持しなければならない時間を２０ｍＳ、ＤＣ−ＤＣコンバータ部４２が正常に動作する下限入力電圧（下限電圧）Ｖ１を２８０Ｖとすると、図３の電源装置ではコンデンサ２３の容量を４２００μＦ以上としなければならない。
【００５６】
通常、コンデンサの実容量は定格容量よりも少なめになるように設計されているので、４２００μＦの容量を確保するためには、耐圧４５０Ｖ、容量３９０μＦのコンデンサを１２本用いなければならない。市販されているコンデンサの外形は直径３０ｍｍ、高さ４０ｍｍ程度なので、周辺回路を含めると１５０ｍｍ×２５０ｍｍのプリント基板が必要になる。
【００５７】
これに対して図１実施例の蓄電ユニットは昇圧型ＤＣ−ＤＣコンバータ３２を用いてコンデンサ３３の充電電圧を高め、かつ昇降圧型ＤＣ−ＤＣコンバータ３４を用いてコンデンサ３３に蓄積されている電荷を有効に活用するようにしたので、コンデンサ３３の容量を小さくすることができる。
【００５８】
コンデンサ３３の充電電圧を８００Ｖとすると、前と同じ条件を満たすために必要な容量は３３０μＦになる。これは耐圧４５０Ｖ、容量３９０μＦのコンデンサ４個（２個直列接続したものを２個並列接続する）で達成することができる。必要なプリント基板面積を１５０ｍｍ×１００ｍｍ程度になり、１５０ｍｍ×１５０ｍｍの基板面積（耐圧４５０Ｖ、３９０μＦのコンデンサ８個分）を削減することができる。
【００５９】
直流電源部４１に入力される交流電力が低下する頻度は低いために、コンデンサ３３は急速に充電する必要はない。従って、昇圧型ＤＣ−ＤＣコンバータ３２は出力電流が小さい小型のものを使用することができる。
【００６０】
また、昇降圧型ＤＣ−ＤＣコンバータ３４は出力電力相当の電力を変換し、また高圧の入力電圧に耐えるようにする必要があるが、動作時間は数十ｍＳと短いので、ヒートシンクを省略し、また変換周波数を高くする等の熱設計を緩和する設計を行って小型化することができる。このため、図３に示すような従来の電源装置対して、小型化を図ることができる。
【００６１】
また、昇圧型ＤＣ−ＤＣコンバータ３２、昇降圧型ＤＣ−ＤＣコンバータ３４として１次側と２次側が絶縁されているＤＣ−ＤＣコンバータを用いたので、起動時に過電流が発生することがなくなり、また制御部３２ｂ、３４ｂの構成を簡素化することができる。
【００６２】
なお、図１実施例の蓄電ユニットでは、コンデンサ３３の放電経路に昇降圧型ＤＣ−ＤＣコンバータ３４を用いたが、降圧のみで昇圧機能がない降圧型ＤＣ−ＤＣコンバータを用いてもよい。この場合、コンデンサ３３の出力電圧が下限電圧Ｖ１より低くなると電源装置の動作が停止するので、コンデンサ３３の容量を大きくしなければならないが、放電経路に設置するＤＣ−ＤＣコンバータを簡素化することができる。
【００６３】
また、この実施例では昇圧型ＤＣ−ＤＣコンバータ３２、昇降圧型ＤＣ−ＤＣコンバータ３４として１次側と２次側が絶縁されているＤＣ−ＤＣコンバータを用いたが、必ずしも絶縁型のコンバータを用いる必要はない。非絶縁型にすると、ＤＣ−ＤＣコンバータの構成を簡単にすることができる。
【００６４】
また、図１実施例では制御部３４ｂが昇圧型ＤＣ−ＤＣコンバータを制御するようにしたが、昇圧型ＤＣ−ＤＣコンバータ３２、昇降圧型ＤＣ−ＤＣコンバータ３４が自律的に起動、停止するようにすることもできる。
【００６５】
すなわち、昇圧型ＤＣ−ＤＣコンバータ３２は入力される電圧が定格電圧の下端電圧Ｖ２以上になると起動し、Ｖ２以下になると停止するようにし、昇降圧型ＤＣ−ＤＣコンバータ３４は入力される入出力端子の電圧が下限電圧Ｖ１以下になると起動し、下端電圧Ｖ１より高くなると停止するようにすればよい。このようにすると、制御部３４ｂで制御部３２ｂを制御する必要がなくなる。
【００６６】
また、この実施例では昇降圧型ＤＣ−ＤＣコンバータ３４が出力する電圧を下限電圧Ｖ１としたが、これに限られることはない。定格電圧の下端電圧Ｖ２と下限電圧Ｖ１の間の電圧であればよい。また、下端電圧Ｖ２、下限電圧Ｖ１を直流電源部４１の定格の−５％、−１０％としたが、これに制約されることはなく、他の値を用いることもできる。
【００６７】
また、直流電源部４１は入力された交流電力を単に整流、平滑するものであってもよく、直流電源部４１内部で昇圧して出力するものであってもよい。整流、平滑のみ行う直流電源部では、入力される交流の電圧が２００Ｖのときは、出力電圧は約２７０Ｖになる。
【００６８】
また、図２実施例では直流電源部４１とＤＣ−ＤＣコンバータ部４２を別ユニットとしたが、一体になっているものでもよい。但し、この場合はＤＣ−ＤＣコンバータ部と蓄電ユニットを接続できるような構成でなければならない。一体化することにより、電源装置を小型化することができる。
【００６９】
さらに、図１実施例ではコンデンサ３３を３３ａ、３３ｂの２つのコンデンサで構成したが、１つ、あるいは３つ以上のコンデンサで構成してもよい。
【符号の説明】
【００７０】
３０  入出力端子
３２  昇圧型ＤＣ−ＤＣコンバータ
３２ａ、３４ａ  コンバータ部
３２ｂ、３４ｂ  制御部
３３、３３ａ、３３ｂ  コンデンサ
３４  昇降圧型ＤＣ−ＤＣコンバータ
３５〜３７  フォトカプラ
４０  電源部
４１  直流電源部
４２  ＤＣ−ＤＣコンバータ部
５０  蓄電ユニット
【図１】
2010220432.tif 000003
【図２】
2010220432.tif 000004
【図３】
2010220432.tif 000005